(57)【要約】【課題】剪断変形及び弾性変形を組み合わせ、単純な構造で効率的に床の振動、衝撃音、騒音を軽減する。【解決手段】防振具２３は、鋼製の保持リング１７の内面２０に第一弾性部材１の下部を固定し、保持リング１７の外面２１に第二弾性部材１２の上部を固定してなる。第一弾性部材１は、保持リング１７から上方に突出し、径Ｄ５の貫通孔８及び径Ｄ６の収容部９との境に段差部１０が形成される。第二弾性部材１２は、保持リング１７から下方に突出した筒型の形状である。第一弾性部材１の貫通孔８及び収容部９に支持ボルト２５を挿通固定して、台座３３を取付けて支持脚３６とする。防振具２３付きの支持脚３６を、スラブ上面（床基盤面）４４に載置固定し、床パネル４２を介してフローリング４３を取付け、床構造４６とする。【選択図】図２
2004250925.tif 000002
【特許請求の範囲】
【請求項１】
床基盤面上に、下端部に防振具を有する支持脚を載置して、該支持脚上に床下地及び／又は、床仕上げ材を構築する乾式の床構造において、前記支持脚は、前記床下地又は床仕上げ材を受ける支持軸の下端部に防振具を取り付けてなり、該防振具は、支持軸を受ける第一弾性部材の外周に剛性を有する環状の保持部材を固定し、該保持部材に床基盤面に載置する第二弾性部材を固定したことを特徴とする乾式床構造。
【請求項２】
床基盤面上に、下端部に防振具を有する支持脚を載置して、該支持脚上に床下地及び／又は、床仕上げ材を構築する乾式の床構造において、前記支持脚は、前記床下地又は床仕上げ材を受ける支持軸の下端部に防振具を取り付けてなり、該防振具は、剛性を有する環状の保持部材の内周側に、前記支持軸を受ける第一弾性部材を固定し、前記保持部材の外周側に、床基盤面に載置する第二弾性部材を固定したことを特徴とする乾式床構造。
【請求項３】
以下の構成としたことを特徴とする請求項１又は２記載の乾式床構造。
（１）  第一弾性部材は、支持軸を受ける略円柱状の上部と該上部の下方に連設した円柱状の下部とからなり、前記下部の外周に、上部より大径の円柱状外周部を形成する。
（２）  前記円柱状外周部に、円形リング状の保持部材を嵌装固定する。
（３）  前記保持部材の外周側に、前記保持部材より大径の外径を有する略円柱状の第二弾性部材の内周面を固定した。
【請求項４】
床基盤面に載置して、床下地材又は床仕上げ材を支持する支持軸を有する支持脚の下端部に取付ける防振具であって、
第一弾性部材の接合端部と第二弾性部材の接合端部とを連結してなり、
前記第一弾性部材は、少なくとも接合端部で放射方向への変形を拘束し、
前記第二弾性部材は、少なくとも接合端部で求心方向への変形を拘束し、
前記両弾性部材のうち一方に、前記支持軸を取付けし、他方を前記床基盤面に載置可能としたことを特徴とする防振具。
【請求項５】
剛性を有する環状の保持部材の内周面に第一弾性部材を固定し、該保持部材の外周面に第二弾性部材を固定し、前記保持部材を介して両弾性部材を連結したことを特徴とする請求項４記載の防振具。
【発明の詳細な説明】
【０００１】
【発明の属する技術分野】
この発明は、床基盤面上に、下端部に防振具を有する支持脚を載置して、該支持脚上に床下地等を構築して床を構築する遮音・防振性能を発揮する乾式床構造及びこの構造に使用する防振具に関する。
【０００２】
【従来の技術】
コンクリートスラブ等の床基盤面に、束状の支持脚を立て床を張ったいわゆる乾式床（二重床、中空床）では、支持脚の下端部にゴム材からなる防振具を設けて、防振具が床基盤面に当接するように形成し、床からの衝撃や振動を吸収していた。この場合、防振具の多くはゴム材の圧縮力を利用していた（特許文献１）。
【０００３】
また、ゴム材のせん断力を利用した床制振システムも提案させていた（特許文献２）。
【０００４】
【特許文献１】実用登録第２５７８１９０号公報
【０００５】
【特許文献２】特開平１０−２５２２５３号公報
【０００６】
【発明が解決しようとする課題】
前記従来の技術では、ゴム材の圧縮性能、剪断性能の両方を組み合わせ、夫々の性能を十分発揮できる簡易な構造は、提案されていなかった。
【０００７】
【課題を解決するための手段】
然るにこの発明では、剛性を有する環状の保持部材を介して、あるいは変形を拘束して第一第二弾性部材を接合して防振具を構成したので、単純な構造で、防音、防振性能の高い床構造を実現した。
【０００８】
即ち、乾式床構造の発明は、床基盤面上に、下端部に防振具を有する支持脚を載置して、該支持脚上に床下地及び／又は、床仕上げ材を構築する乾式の床構造において、前記支持脚は、前記床下地又は床仕上げ材を受ける支持軸の下端部に防振具を取り付けてなり、該防振具は、支持軸を受ける第一弾性部材の外周に剛性を有する環状の保持部材を固定し、該保持部材に床基盤面に載置する第二弾性部材を固定したことを特徴とする乾式床構造である。
【０００９】
また、他の乾式床構造の発明は、床基盤面上に、下端部に防振具を有する支持脚を載置して、該支持脚上に床下地及び／又は、床仕上げ材を構築する乾式の床構造において、前記支持脚は、前記床下地又は床仕上げ材を受ける支持軸の下端部に防振具を取り付けてなり、該防振具は、剛性を有する環状の保持部材の内周側に、前記支持軸を受ける第一弾性部材を固定し、前記保持部材の外周側に、床基盤面に載置する第二弾性部材を固定したことを特徴とする乾式床構造である。
【００１０】
また、前記各乾式床構造の発明において、以下の構成としたことを特徴とする乾式床構造である。
（１）  第一弾性部材は、支持軸を受ける略円柱状の上部と該上部の下方に連設した円柱状の下部とからなり、前記下部の外周に、上部より大径の円柱状外周部を形成する。
（２）  前記円柱状外周部に、円形リング状の保持部材を嵌装固定する。
（３）  前記保持部材の外周側に、前記保持部材より大径の外径を有する略円柱状の第二弾性部材の内周面を固定した。
【００１１】
また、防振具の発明は、床基盤面に載置して、床下地材又は床仕上げ材を支持する支持軸を有する支持脚の下端部に取付ける防振具であって、第一弾性部材の接合端部と第二弾性部材の接合端部とを連結してなり、前記第一弾性部材は、少なくとも接合端部で放射方向への変形を拘束し、前記第二弾性部材は、少なくとも接合端部で求心方向への変形を拘束し、前記両弾性部材のうち一方に、前記支持軸を取付けし、他方を前記床基盤面に載置可能としたことを特徴とする防振具である。
【００１２】
更に、前記防振具の発明において、剛性を有する環状の保持部材の内周面に第一弾性部材を固定し、該保持部材の外周面に第二弾性部材を固定し、前記保持部材を介して両弾性部材を連結したことを特徴とする防振具である。
【００１３】
前記における環状とは、円形が望ましいが、他の形状、例えば三角形状、四角形状、５角形状等その形状は任意である。
【００１４】
また、前記における剛性を有する部材は、主に鋼・アルミニウム等の金属材料であるが、床下地の構造にもよるが、概ね、１本の支持脚は４００ｋｇ程度の荷重を受けるので、これに耐えられる材料であれば、各種樹脂材料から構成することもできる。
【００１５】
また、前記における床基盤面への載置とは、直接載置し、あるいは他の部材を介して載置することも含む。
【００１６】
また、前記において、床仕上げ材は、フローリング、カーペット、タイル、シート、畳等通常使用される各種材料を使用することができる。
【００１７】
また、床仕上げ材は単独で所定の強度を有すれば、床下地材を省略して、床仕上材を直接に支持脚で支持することもできる。
【００１８】
【発明の実施の形態】
（１）  この発明の防振具２３は、円筒状で鋼製の保持リング１７の内面２０に第一弾性部材１の下部を固定し、保持リング１７の外面２１に第二弾性部材１２の上部を固定して構成する（図１（ｂ））。保持リング１７との固定部分で、第一弾性部材１は放射状に外側に広がるような変形が規制され、第二弾性部材１２は求心状に内側に向くような変形が夫々規制される。
【００１９】
第一弾性部材１は、保持リング１７から上方に突出した形状で、軸に沿って、縦の貫通孔８及び収容部９を形成してなり、径Ｄ５の貫通孔８及び径Ｄ６の収容部９との境に段差部１０が形成される。
【００２０】
第二弾性部材１２は、保持リング１７から下方に突出した筒型の形状で（図１（ｂ））、
（２）  防振具２３の第一弾性部材１の貫通孔８及び収容部９に、支持ボルト２５を挿入して固定して、支持ボルト２５の上端部に台座３３を取り付けて支持脚３６とする。防振具２３を取り付けた支持脚３６を、スラブ上面（床基盤面）４４に載置固定し、床パネル４２を介してフローリング４３を敷設固定して、床構造４６を構成する（図２）。
【００２１】
【実施例１】
図面に基づきこの発明の実施例を説明する。
【００２２】
［１］防振具２３の構成
【００２３】
（１）  外径Ｄ１の円筒状の上部３に、外径Ｄ２の円柱状の下部５を連設して、上部３の外周上端４から下部５の外周上端６にかけて、なだらかな斜面部７を形成して、本体部を構成する。斜面部７は下に凸の曲面状に形成されている。また、外径Ｄ２の下部５の外周が、円柱（円筒）の外周面をなす円柱状外周部１１を構成する。
【００２４】
本体部２に、支持ボルト（支持軸）２５と固定する為に、支持ボルト２５のボルト軸を挿通する貫通孔８を穿設し、貫通孔８の下方を大径に拡大した収容部９を形成する。
【００２５】
貫通孔８は径Ｄ５で形成し、収容部９の上端は、外径Ｄ６で形成し、下方に向けて徐々に大径となり、収容部９の下端がＤ２となるように形成される。収容部９の径、即ち下部５の内側の径は、径Ｄ６からＤ２に徐々に変化する斜面部９ａを形成するが、斜面部９ａは下に凸の曲面で形成されている。
【００２６】
また、収容部９の上端から貫通孔８の下端にかけて径Ｄ５から径Ｄ６に変化する段差部１０を形成し、段差部１０にナット又はボルトの頭部を係止できるようになっている。
【００２７】
以上のような形状を、ゴム材料から一体に成型して、第一弾性部材１を構成する（図１（ｂ））。
【００２８】
（２）  内径Ｄ３、外径Ｄ４の円筒形のゴム材料から、第二弾性部材１２を構成する（図１（ｂ））。
【００２９】
（３）  内径Ｄ２、外径Ｄ３の厚さｔ［ｔ＝（Ｄ３−Ｄ２）÷２］の鋼製の保持リング（保持部材）１７を、第一弾性部材１の円柱状外周部１１に嵌装固定する。保持リング１７の内面と第一弾性部材１の円柱状外周部１１とは密着する。
【００３０】
第二弾性部材１２の上部に、保持リング１７を嵌挿固定する。第二弾性部材１２の内面１５の上部に保持リング１７の外面２１が密着すると共に、保持リング１７の上面１８と第二弾性部材１２の上面１３とは、略面一に形成される。また、第一弾性部材１の下縁と保持リング１７の下面１９とは同じ高さに形成される（図１（ｂ））。
【００３１】
（４）  以上のようにして、防振具２３を構成する。前記において、例えば、
2004250925.tif 000003
とする。
【００３２】
また、前記第一弾性部材１、第二弾性部材１２のゴム硬度は任意であり、また両弾性部材で異なる硬度を採用することもでき、求める防振・防衝撃・防音性能により種々選択して使用することができる。
【００３３】
［２］床構造４６
【００３４】
（１）  続いて、防振具２３を使用した床構造４６について説明する。支持脚３６は、支持ボルト２５の上端部に床パネル（床下地）４２を受ける台座３３を取付けし、下端部に防振具２３を固定して構成する。
【００３５】
（２）  支持ボルト２５は、上部にねじ部を有する軸部２７の下端に大径の頭部２６を形成し、頭部２６から距離Ｌ２の位置にリング状のつば部２８を形成してなる。頭部２６の外径は、軸部２７の径＋０．５ｍｍ程度で形成されている。
【００３６】
支持ボルト２５を軸２７を上に向けて、防振具４６の第一弾性部材１に取付ける。この際、防振具２３の貫通孔８の上方から支持ボルト２５の頭部２６側を押し込んで取付け、つば部２８の下面は、第一弾性部材１の上部３の上面に密着し、上部３の外周上端４とつば部２８の外周とががほぼ一致する。また、支持ボルト２５の頭部２６が第一弾性部材１の段差部１０に係止し、かつ、つば部２８が第一弾性部材１の上部３の上面に密着するので、支持ボルト２５に鉛直荷重又は引抜荷重が作用しても、支持ボルト２５が第一弾性部材１から外れるおそれがない（図２）。
【００３７】
（３）  台座３３は、縦方向の貫通孔３４に、内面に螺糸を有する筒状のナット３０が嵌挿され、ナット３０は下縁につば部３１を有し、台座３３の下面に密着してある。台座２２のナット３０に、支持ボルト２５の軸部２７を螺合し、支持脚３６を構成する。また、台座３３の上面が所定高さとなるように、螺合位置を調節しておく。
【００３８】
この状態で、第二弾性部材１２の下面１４を下にして、支持脚３６、３６を、コンクリート製躯体のスラブ上面（床基盤面）４４の所定位置に載置し、必要ならばスラブ上面４４に接着する。
【００３９】
（４）  続いて、台座３３、３３間に床パネル（床下地材）４２、４２を架設固定する。床パネル４２は、表面板４０、３７で桟材３９を挟んで、中空部を有する一体構造に形成されている。また、隣接する床パネル４２、４２の目地４１には、雇い実４７を介装する（図２、図３）。床パネル４２、４２上に、フローリング（床仕上げ材）４３、４３を敷設固定して、乾式の床構造４６を構成する（図２）。
【００４０】
（５）  床パネル４０からの鉛直方向（下方）の荷重や衝撃は、台座３３を介して、支持ボルト２５に伝わり、支持ボルト２５のつば部２８から第一弾性部材１の上面に伝わる。
【００４１】
第一弾性部材１では、上部３で若干、圧縮変形し、保持リング１７で放射状の膨れ変形が拘束されているので、下部５及び上部３で、主に剪断変形する。
【００４２】
第一弾性部材１の変形で吸収できない荷重分は、保持リング１７が下方に下がることにより、第二弾性部材１２に伝わる。
【００４３】
また、第二弾性部材１２では内面１５の上部に保持リング１７が固定されているので、上部で保持リング１７により内側にむける求心状の変形が拘束されると共に、保持リング１７の下方への沈み込みにより、内面１５側を中心に第二弾性部材１２の全体で、圧縮変形及び剪断変形がされる。
【００４４】
［３］他の実施例
【００４５】
（１）  前記床構造４６において、床下地材は、表面板３７、４０と桟材３９からなる床パネル４２使用してパネル状としたが、床パネル４２の構造は任意であり、また、在来の各部材を固定して床下地材を組み立てる構造とすることもでき、平面形状も帯状等任意である（図示していない）。また、更に遮音シートを介装して床下地材を構成することもできる（図示していない）。
【００４６】
また、床パネル４２の構成により、支持脚３６を使用するピッチも適宜選択して決定できる。例えば、面剛性の高い床パネル４２であれば、ピッチを長く取ることができ、また、採用する床パネル４２等の、厚さ等の形状・構造によりピッチを適宜長く又は短く調節する。
【００４７】
（２）  また、前記実施例において、支持脚３６は、台座３３、支持ボルト２５、防振具２３から構成したが、スラブ上面４４に床パネル４２等を支持できる構造であれば、構造は任意である。
【００４８】
また、支持ボルト２５は、上向きのボルトにつば部２８を固定して構成したが、床パネル４２を支持できれば、その構造は任意である（図示していない）。例えば、支持ボルト２５は、頭部２６に代え、下端部にもねじ部を形成して、第一弾性部材１の段差部１０に６角ナット等を係止して、下端部のねじ部を螺合した構造とすることもできる（図示していない）。
【００４９】
（３）  また、前記実施例において、防振具２３をスラブ上面４４に直接載置したが、防振具２３の第二弾性部材１２の下面に金属板等を固定して、金属板を介して防振具２３をスラブ上面４４に載置して床構造４６とすることもできる（図示していない）。
【００５０】
（４）  また、前記実施例において、防振具２３の第一弾性部材１側に支持ボルト２５（床パネル４２）を固定したが、防振具２３の第二弾性部材１２側に支持ボルト２５（床パネル４２）を固定し、第一弾性部材１側をスラブ上面４４に載置して使用して床構造４６を構成することもできる（図示していない）。即ち、この場合は、防振具２３を前記実施例とは上下逆に使用する場合である。
【００５１】
（５）  また、前記実施例において、防振具２３の上面側（第一弾性部材１側）に、第一支持ボルトを固定し、下面側（第二弾性部材側）に第二支持ボルトを固定し、第一支持ボルトで台座３３、床パネル４２を支持し、第二支持ボルトをスラブ上面４４に載置して床構造４６とすることもできる（図示していない）。即ち、この発明の防振具２３を支持脚３６の中間位置に使用する場合である。
【００５２】
（６）  また、前記実施例の防振具２３において、保持リング１７の上面１８と第二弾性部材１２の上面１３とを略面一に形成したが、異なる高さとすることもできる（図示していない）。
【００５３】
また、第一弾性部材１の上面と、第二弾性部材２の下面１４との一方又は両方を、同心円状又はその他の形状の凹凸を形成し、滑り止めの機能を強化することもできる（図示していない）。
【００５４】
（７）  また、前記実施例の防振具２３において、防振具２３の保持リング１７の外面２１を第二弾性部材１２の内面１５に密着固定したが他の構造とすることもできる（図４）。例えば、第二弾性部材１２の上部内側に、保持リング１７の形状に合わせた切欠き１６を設けて、切欠き１６内に保持リング１７を嵌挿するように密着固定することもできる（図４（ａ））。この場合には、保持リング１７の下面１９から第二弾性部材１２へ荷重が伝わるので第二弾性部材１２は主に圧縮変形するので、保持リング１７は下面１９の面積の大きな形状とし、切欠き１６もこれに合わせた形状とすることが望ましい（図４（ａ）鎖線図示１９）。
【００５５】
また、保持リング１７を、下面１９の面積を狭くし外面２１を上に向けて広がるように斜面２２を形成することもできる（図４（ｂ））。この場合、第二弾性部材１２でも斜面２２に対応した斜面を有する切欠き１６を形成する。この場合にも、第二弾性部材１２は、保持リング１７が下方に沈み込むことにより、圧縮及び剪断変形する。
【００５６】
また、保持リング１７の下面１９を第二弾性部材１２の上面１３に載置固定して、防振具２３を構成することもできる（図４（ｃ））。この場合には、保持リング１７の沈み込みにより、第二弾性部材１２は、これを上面１３で受け、主に圧縮変形する。
【００５７】
（８）  また、前記実施例の防振具２３において、防振具２３の第一弾性部材１は、貫通孔８を有し、円柱状外周部１１を有すれば、他の構造とすることもできる。
【００５８】
例えば、第一弾性部材１の斜面部７を、上部３の外周上端４から下部５の外周上端６にかけて下に凸の曲面状としたが、上部３の外周上端４から所定距離の筒状部（鉛直状）７ａを形成し、筒状部７ａに続き、下部５の外周上端６にかけて斜面部７を形成することもできる（図６（ａ）（ｂ））。この場合、斜面部７は部分円錐状（直線状）に形成する（図６（ｂ））。ここで、収容部９の径、即ち下部５の内側の径は、径Ｄ６からＤ２に徐々に変化する斜面部９ａを形成したが、斜面部９ａも部分円錐状（直線状）に形成する。
【００５９】
また、第一弾性部材１の下縁と保持リング１７の下面１９とは同じ高さに形成したが、異なる高さで形成することもできる。例えば、第一弾性部材１の下縁を、保持リング１７の下面１９より上方に位置させることもできる（図６（ｂ））。
【００６０】
また、例えば、斜面部７を省略し、筒状の上部３（外径Ｄ１、内径Ｄ５）の下面に、筒状の下部５（外径Ｄ２、内径Ｄ６）を連設して防振具２３を構成することもできる（図５）。
【００６１】
【発明の効果】
この発明では、剛性を有する環状の保持部材を介して、あるいは変形を拘束して第一弾性部材と第二弾性部材とを連結するので、弾性部材の剪断変形と圧縮変形とを組み合わせて、沈み込み量を小さくして、床からの振動や衝撃を効率良く吸収できる。また、構造を単純化することもできる。
【００６２】
また、保持部材の外周側に第二弾性部材を固定した場合には、第二弾性部材を筒状に形成できるので、第二弾性部材の底面積を小さくして、床基盤面との接触面積を少なくできるので、更に床からの振動や衝撃を軽減できる。
【００６３】
また、第一弾性部材に貫通孔及び段差部を設ければ、支持脚の支持ボルトに貫通孔を挿通し、支持ボルトの端部を段差部に係止して、支持ボルトを確実に第一部材（防振具）に弾性固定できる。
【図面の簡単な説明】
【図１】この発明の実施例に使用する防振具で、（ａ）は正面図、（ｂ）は縦断面図、（ｃ）は平面図である。
【図２】この発明の実施例の床構造の縦断面図である。
【図３】同じく平面図である。
【図４】（ａ）（ｂ）（ｃ）は、この発明の他の防振具の縦断面図である。
【図５】この発明の他の防振具で、第一弾性部材を表す縦断面図である。
【図６】同じくこの発明の他の防振具で、（ａ）は平面図、（ｂ）は縦断面図である。
【符号の説明】
１    第一弾性部材
２    本体部（第一弾性部材）
３    上部（第一弾性部材）
４    上部の外周上端
５    下部（第一弾性部材）
６    下部の外周上端
７    斜面部（第一弾性部材）
７ａ  筒状部（第一弾性部材）
８    貫通孔（第一弾性部材）
９    収容部（第一弾性部材）
９ａ  斜面部（第一弾性部材、収容部）
１０  段差部（第一弾性部材）
１１  円柱状外周部（第一弾性部材）
１２  第二弾性部材
１３  第二弾性部材の上面
１４  第二弾性部材の下面
１５  第二弾性部材の内面
１７  保持リング（剛性リング）
１８  保持リングの上面
１９  保持リングの下面
２０  保持リングの内面
２１  保持リングの外面
２３  防振具
２５  支持ボルト（支持軸）
２６  支持ボルトの頭部
２７  支持ボルトの軸部
２８  支持ボルトのつば部
３０  ナット
３１  ナットのつば部
３３  台座
３４  台座の貫通孔
３５  台座の下面
３６  支持脚
３７  表面板（床パネル）
３９  桟材（床パネル）
４０  表面板（床パネル）
４１  床パネルの目地
４２  床パネル
４３  フローリング（床仕上げ材）
４４  スラブ上面（床基盤面）
４６  床構造
【図１】
2004250925.tif 000004
【図２】
2004250925.tif 000005
【図３】
2004250925.tif 000006
【図４】
2004250925.tif 000007
【図５】
2004250925.tif 000008
【図６】
2004250925.tif 000009